(57)【要約】ローカルの聞き手とリモートの聞き手にプレゼンテーションを示すシステムは、情報フレームをローカルの聞き手に提示する表示装置（１３０）を含む。フレーム取込み装置（１４０）は、ローカルの聞き手に提示される情報フレームの画像を取り込むために、表示装置（１３０）に結合されている。このシステムはまた、情報フレームの画像をリモートの聞き手メンバ（１８０）に送るために、表示装置（１３０）に結合された伝送装置（１６０）も含む。
2006507559.tif 000002
【特許請求の範囲】
【請求項１】
ローカルの聞き手とリモートの聞き手にプレゼンテーションを示すシステムであって、
情報フレームを前記ローカルの聞き手に提示する表示装置（１３０）と、
前記表示装置（１３０）に結合され、前記ローカルの聞き手に提示された前記情報フレームの画像を取り込むフレーム取込み装置（１４０）と、
前記フレーム取込み装置（１４０）に結合され、前記情報フレームの画像をリモートの聞き手メンバ（１８０）に送る伝送装置（１６０）と、
を備えているシステム。
【請求項２】
前記フレーム取込み装置（１４０）および前記伝送装置（１６０）に結合され、前記情報フレームの画像をグラフィックス・オブジェクトに変換するデータ変換器（１５０）をさらに備えている、請求項１に記載のシステム。
【請求項３】
前記表示装置（１３０）が、外部表面に向けて少なくとも１つの光ビームを投影するプロジェクタである、請求項１に記載のシステム。
【請求項４】
前記表示装置（１３０）が、ビデオ・インターフェースを介して前記情報フレームを受け取る、請求項１に記載のシステム。
【請求項５】
前記伝送装置（１６０）が、公衆インターネット（２７７）にインターフェースされる、請求項１に記載のシステム。
【請求項６】
ローカルの聞き手とリモートの聞き手にプレゼンテーションを示す方法であって、
情報フレームを前記ローカルの聞き手に提示するステップ（３１０）と、
前記情報フレームの画像を取り込むステップ（３２０）と、
前記取込み画像をグラフィックス・オブジェクトに変換するステップ（３３０）と、
前記グラフィックス・オブジェクトを、前記リモートの聞き手（１８０）の少なくとも１人のメンバに送るステップ（３４０）と、
を含む方法。
【請求項７】
前記提示するステップ（３１０）が、前記ローカルの聞き手が見る表示面上に前記情報フレームを投影するステップを含む、請求項６に記載の方法。
【請求項８】
前記取り込むステップ（３２０）が、前記情報フレームをランダムアクセスメモリに格納するメモリアレイを読み出すステップを含む、請求項６に記載の方法。
【請求項９】
前記送るステップ（３４０）が、ネットワーク・アドレスに置かれたサーバ（２７５）によって実行される、請求項６に記載の方法。
【請求項１０】
前記送るステップ（３４０）が、前記グラフィックス・オブジェクトをインターネット・サービス・プロバイダに送るパーソナル無線アクセサリを介して実行される、請求項９に記載の方法。
【発明の詳細な説明】
【技術分野】
【０００１】
本発明は、一般に、聞き手にプレゼンテーションを示すのに用いられる機器に関し、詳細には、様々な場所にいる聞き手にプレゼンテーションを示す方法およびシステムに関する。
【背景技術】
【０００２】
発表者が、発表者と同じ部屋にいる聞き手にプレゼンテーションを示すときには、発表者は、通常、聞き手に提示される資料を管理している。例えば、このプレゼンテーションが、オーバーヘッドプロジェクタを介して提示される一組の透明スライドから成っている場合には、発表者は、どの透明スライドをローカルの聞き手に示すかを正確に選択することができる。他の例では、発表者が、オーバーヘッドプロジェクタを介して示される透明スライドの代わりに、電子式プロジェクタを介してローカルの聞き手に「情報フレーム」を示す場合に、発表者は、一般に、どの情報フレームを聞き手に示すかを制御するコンピューティング装置を管理している。双方の例では、発表者は、特定のローカルの聞き手に合わせてプレゼンテーションを作り変えるために、「バックアップ」資料を含むだけでなく、このプレゼンテーション中の或る資料を飛ばすこともある。
【０００３】
発表者が、プレゼンテーションをリモートの聞き手（すなわち、聞き手が発表者と同じ部屋にいない）に示したいと思うときには、発表者は、発表者のコンピューティング装置からリモートの聞き手のメンバへのプレゼンテーション資料の伝送を可能にするネットワーク・ミーティング・コンピュータプログラムの利用を選択することができる。しかしながら、このようなネットワーク・ミーティング・コンピュータプログラムを利用するには、一般に、リモートの聞き手のメンバがアクセスできるネットワークに発表者を接続することが求められる。したがって、リモートの聞き手を含む企業にプレゼンテーションを与える外部来訪者は、外部来訪者のコンピューティング装置を企業ネットワークに接続する前に、まず最初に企業の情報技術要員から承認を得ることが求められる場合がある。さらに、企業ネットワーク上での通信を行う前に、外部来訪者のコンピューティング装置を設定する必要があることがある。外部来訪者のコンピューティング装置を企業ネットワークに接続する前に、このコンピューティング装置を設定する必要があるだけでなく、承認を得ることも必要であることは、外部来訪者に対してだけでなく、企業に対しても、さらなる負担を課す時間のかかるプロセスでありかねない。
【０００４】
提案される一解決策は、外部来訪者が、プレゼンテーションを始める前に、リモートの聞き手のメンバに、このプレゼンテーションを電子メールで送ることであるかもしれない。しかしながら、これには、通常、電子メール・サーバへの接続が求められ、さらに、このような接続には、外部来訪者が、コンピューティング装置を企業ネットワークに接続することも求められる。別の手法は、外部来訪者が、プレゼンテーション・ファイルの入っているコンピュータ・ディスクを、企業内の代表者に提供して、企業ネットワークにすでに接続されているコンピュータから、このプレゼンテーションを電子メールで送れるようにすることであるかもしれない。しかしながら、これもまた、プレゼンテーションのうち、外部来訪者の組織体に著作権があるか、あるいはその他の何らかの理由で、企業内で広く普及させることを目的としない部分を除去するように外部来訪者に求めることがある点で、厄介である場合もある。
【発明を実施するための最良の形態】
【０００５】
（実施形態の詳細な説明）
図１は、本発明の第１の実施形態により、ローカルの聞き手とリモートの聞き手にプレゼンテーションを示すシステムのブロック図である。図１では、コンピューティング装置１００は、情報フレームをコントローラ１１０に搬送する情報源を表わしている。本発明に関連して、情報フレームは、プレゼンテーションの個別部分を表わしており、オーバーヘッドプロジェクタを介して示される透明スライドと同じとみられる。この情報フレームは、Ｍｉｃｒｏｓｏｆｔ  ＰｏｗｅｒＰｏｉｎｔ（登録商標）などのいくつかのプレゼンテーション用コンピュータプログラムのどれか１つによって生成され得る。
【０００６】
コンピューティング装置１００は、携帯型ラップトップコンピュータ、ハンドヘルド・コンピューティング装置、あるいは、汎用または専用の処理機能を果たす他の任意のコンピューティング装置であることができる。また、コンピューティング装置１００は、前述の通り、Ｍｉｃｒｏｓｏｆｔ  ＰｏｗｅｒＰｏｉｎｔ（登録商標）などのコンピュータプログラムによって情報フレームを作成および／または表示するために使用され得る。図１の実施形態では、コンピューティング装置１００は、ビデオ・インターフェースを介してコントローラ１１０と通信し、情報フレームは、コンピューティング装置１００の適切な出力によって発生される変動電圧の形式で、コンピューティング装置１００から搬送される。別法として、コンピューティング装置１００は、デジタル・インターフェースを介してコントローラ１１０と通信する。
【０００７】
コンピューティング装置１００からの出力は、コントローラ１１０を通じて、フレーム・バッファ１２０に搬送される。図１では、フレーム・バッファ１２０は、コントローラ１１０で制御されるビデオ・ランダムアクセスメモリ（ＶＲＡＭ）素子を表わしているが、ただし、利用可能なメモリ素子および記憶技術をいくつでも使用して、実施することができる。図１の実施形態では、コンピューティング装置１００からの情報フレームは、フレーム・バッファ１２０中のメモリアレイに格納されて、表示装置１３０（この場合も、コントローラ１１０で制御される）に搬送される。望ましくは、メモリ・コントローラ・ユニット（図１には示されてない）は、コントローラ１１０内部において、フレーム・バッファ１２０中のメモリ記憶機能やメモリ検索機能を総合調整する働きをする。
【０００８】
図１では、コントローラ１１０は、コンピューティング装置１００から受け取ったビデオ信号をデジタル化する。さらに、コントローラ１１０はまた、コンピューティング装置１００の画面解像度を変更して、表示装置１３０の画面解像度に合わせることなどのスケーリング機能も果たす。例えば、コンピューティング装置１００が、水平８００ライン×垂直６００ラインのＳＶＧＡ（Ｓｕｐｅｒ  Ｖｉｄｅｏ  Ｇｒａｐｈｉｃｓ  Ａｒｒａｙ）対応の出力を提供する場合には、コントローラ１１０は、コンピューティング装置１００の出力を増減して、表示装置１３０で要求されるように、水平１０２４ライン×垂直７６８ラインなどの異なる画面解像度に合わせることができる。コントローラ１１０はまた、コンピューティング装置１００の出力の信号更新レートが表示装置１３０の更新レートに合うように同期化されるタイミング機能を実行することもできる。
【０００９】
表示装置１３０は、光源と、光を画像エンジン（image engine）上に集束させる光学素子とを含むことができる。この画像エンジンは、透過パネル、ポリシリコン液晶ディスプレイ、あるいは１つまたは複数の光ビームを、フレーム・バッファ１２０のメモリアレイに格納された情報で変調する他の技術、を利用することができる。その結果として、この画像エンジンにより生成される情報フレームは、好ましくはローカルの聞き手が見るのに足る広さの外部表面上に表示されるように、そのピントが合わされる。他の実施形態では、表示装置１３０は、陰極線管（ＣＲＴ）、液晶ディスプレイ、有機発光ダイオード、あるいは、他のモニタ技術である。
【００１０】
コントローラ１１０は、表示装置１３０に結合されるだけでなく、フレーム取込み装置１４０にも結合される。フレーム取込み装置１４０は、フレーム・バッファ１２０中のメモリアレイから画素（すなわち、ピクセル）を読み出す。これらの画素はデータ変換器１５０に送られ、そこで、データ変換器１５０は、これらの画素を、さらに標準化されたシリアル・フォーマットまたはパラレル・フォーマットに変換する。コントローラ１１０またはコンピュータ１００は、ブランキング入力を含むことができ、それにより、発表者は、特定の情報フレームが提示されているかどうかを管理することができる。これにより、コンピューティング装置１００のユーザは、どの情報フレームが、ローカルの聞き手に提示される（表示装置１３０を介して）のか、また、これらの情報フレームのどの画像が、リモートの聞き手メンバ１８０に提示される（後で、説明する通り）のかを管理することができる。
【００１１】
前述の通り、情報フレームの画像は、データ変換器１５０により、グラフィックス・オブジェクトに変換される。データ変換器１５０は、フレーム取込み装置１４０からの生データを、ＪＰＥＧ（Ｊｏｉｎｔ  Ｐｈｏｔｏｇｒａｐｈｉｃ  Ｅｘｐｅｒｔｓ  Ｇｒｏｕｐ）、ＧＩＦ（Ｇｒａｐｈｉｃａｌ  Ｉｎｔｅｒｃｈａｎｇｅ  Ｆｏｒｍａｔ）、またはビットマップ・ファイルなどのほぼ標準化されたフォーマットにフォーマットする。次に、このグラフィックス・オブジェクトは、伝送装置１６０を介して、企業ネットワーク１７０上に送られる。企業ネットワーク１７０は、無線ネットワーク、有線ネットワークを表わすか、あるいは、双方のネットワークの要素を含むことができる。
【００１２】
伝送装置１６０は、好ましくは、通信ネットワーク上でグラフィックス・オブジェクトを伝送する（あるいは、供給する）インターネットＷｅｂサーバ機能を果たす。したがって、好ましくはプレゼンテーションを開始する前にリモートの聞き手メンバ１８０に提供されるインターネットプロトコル（ＩＰ）アドレスが、伝送装置１６０に割り当てられる。これにより、リモートの聞き手のメンバは、情報フレームがローカルの聞き手に提示されるときに、対応する情報フレームの画像を見ることができる。企業ネットワーク１７０が、公衆インターネットとのインターフェースを含む場合には、コンピューティング装置を操作して公衆インターネットにアクセスすることができるリモートの聞き手メンバ１８０は、どこにいてもよい。
【００１３】
プレゼンテーションの音声部分は、いくつかのやり方でリモートの聞き手に配信することができる。一実施形態では、電話会議ブリッジが、このプレゼンテーションの音声部分の受渡しを容易にする。他の実施形態では、伝送装置１６０は、企業ネットワーク１７０上で音声を伝送できるようにするＶＯＩＰ（Ｖｏｉｃｅ  Ｏｖｅｒ  Ｉｎｔｅｒｎｅｔ  Ｐｒｏｔｏｃｏｌ）機能を含む。
【００１４】
図１の実施形態では、リモートの聞き手メンバ１８０の一人または複数人が、企業ネットワーク１７０を介して伝送装置１６０とコンタクトを取る。これは、リモートの聞き手メンバ１８０が、伝送装置１６０のＩＰアドレスを、これらのメンバのそれぞれに関連するコンピューティング装置に入力して、行うことができる。リモートの聞き手メンバ１８０のそれぞれとの接続を確立すると、伝送装置１６０は、企業内で求められる適用できる任意の情報技術セキュリティ・ガイドラインに基づいて、認証と検証を行うことができる。次に、伝送装置１６０は、それぞれの情報フレームの画像に対応するグラフィックス・オブジェクトを、リモートの聞き手メンバ１８０のそれぞれに供給する。好ましくは、これらのグラフィックス・オブジェクトは、インターネット・ブラウザ、ワープロ・プログラム、または、グラフィックス・プレゼンテーション・プログラムを実行するコンピューティング装置を、リモートの聞き手メンバ１８０が使用して、見ることができる。
【００１５】
好ましくは、フレーム取込み装置１４０は、対応する画像を、表示装置１３０がローカルの聞き手に提示した後で直ちに、それぞれの情報フレームの画像を取り込む。次に、この画像は、グラフィックス・オブジェクトに変換されて、伝送装置１６０に搬送される。次に、リモートの聞き手メンバ１８０それぞれからの問合せ（例えば、そのメンバが、ブラウザ・ウィンドウを「リフレッシュ」することを選択する）に応答して、リモートの聞き手メンバ１８０に、これらのグラフィックス・オブジェクトを供給することができる。他の実施形態では、伝送装置１６０は、リモートの聞き手メンバ１８０からの「リフレッシュ」入力を要求することなく、それらのメンバにグラフィックス・オブジェクトを送る「プッシュ」技術を利用している。他の実施形態では、伝送装置１６０は、ファイル転送プロトコルを利用して、それぞれのグラフィックス・オブジェクトを、リモートの聞き手メンバ１８０に提供する。
【００１６】
図２は、本発明の第２の実施形態により、ローカルの聞き手とリモートの聞き手にプレゼンテーションを示す第２のシステムのブロック図である。図２では、コンピューティング装置１００、フレーム・バッファ１２０、コントローラ１１０、表示装置１３０、フレーム取込み装置１４０、データ変換器１５０、企業ネットワーク１７０は、図１を参照して述べられたものとほぼ同じやり方で動作する。図２では、ファイア・ウォール１７１は、企業ネットワーク１７０と公衆インターネット２７７との間のアクセスを制御するネットワーク要素を表わしている。
【００１７】
図２では、伝送装置２６０は、図１の伝送装置１６０の動作と同様なやり方で、データ変換器１５０からグラフィックス・オブジェクトを受け取る。しかしながら、伝送装置１６０とは対照的に、伝送装置２６０は、グラフィックス・オブジェクトを直接、リモートの聞き手メンバ１８０には見せない。もっと適切に言えば、伝送装置２６０は、データ変換器１５０から受け取ったグラフィックス・オブジェクトを、企業ネットワーク１７０および公衆インターネット２７７を介して、パブリック・サーバ２７５に送る。次に、パブリック・サーバ２７５は、リモートの聞き手メンバ１８０によってファイア・ウォール１７１を介してアクセスされるような公衆インターネット２７７を介して、この受け取ったグラフィックス・オブジェクトを、リモートの聞き手メンバ１８０に供給する。リモートの聞き手メンバ１８０のうちのただ一人だけが、公衆インターネット２７７にインターフェースされるものとして図示されているが、さらに多くのリモートの聞き手メンバ１８０を公衆インターネット２７７にインターフェースすることができる。
【００１８】
図２のパブリック・サーバ２７５は、公衆インターネット２７７上のネットワーク・アドレスを持つものと考えられる。代替実施形態では、公衆インターネット２７７を、イーサーネット（有線）またはＩＥＥＥ８０２．１１（無線）ネットワークなどの他のタイプの無線または有線データ通信ネットワークに代えることができる。パブリック・サーバ２７５は、公衆インターネット・サーバ関連のタスクを実行する機能を含む従来の中容量または大容量のサーバであってよい。パブリック・サーバ２７５は、公衆インターネット２７７にインターフェースされたクライアントに汎用ｗｅｂページを供給するサービス・プロバイダによって運用されることができる。
【００１９】
前述の通り、パブリック・サーバ２７５は、図１の伝送装置１６０よりも、公衆インターネット汎用ネットワーク・サーバの方にさらに緊密な関係にあるものと考えられる。したがって、パブリック・サーバ２７５は、伝送装置２６０により実行されるものに加えて、セキュリティ機能と暗号化機能も実行することができる。これらの追加機能は、ユーザの認証および検証技法だけでなく、サーバへのアクセスを制限するセキュリティ層やパスワード層、データの暗号化／解読を含むことができる。さらに、パブリック・サーバ２７５は、物理的リソースよりもむしろネットワーク・リソースと見なされるので、パブリック・サーバ２７５により実行される機能は、公衆インターネット２７７がサービスを提供する他の場所に置かれた他のネットワーク・リソースに移行され得る。
【００２０】
図２Ａは、図２の実施形態の一部の代替実施のブロック図である。図２Ａの実施形態では、伝送装置２６１は、図２のデータ変換器１５０との伝送装置２６０のインターフェースと同様なやり方で、データ変換器１５０とインターフェースする。簡単にするために、フレーム取込み装置１４０、フレーム・バッファ１２０、表示装置１３０、コントローラ１１０、コンピューティング装置１００は、図２Ａには示されていない。
【００２１】
伝送装置２６１は、パーソナル無線アクセサリ２６２と接続している。パーソナル無線アクセサリ２６２は、携帯電話、無線通信機能を持つ携帯情報端末（ＰＤＡ）、無線ローカルエリアネットワーク機能を含む携帯型コンピューティング装置などの任意のパーソナル無線通信装置を表わしている。あるいは、パーソナル無線アクセサリ２６２は、他の任意のタイプのパーソナル無線装置であってもよい。この実施形態では、伝送装置２６１は、情報フレームの画像に対応するグラフィックス・オブジェクトを、パーソナル無線アクセサリ２６２を介して、インターネット・サービス・プロバイダ２６４にアップロードする。このようなアップロードは、セルラー通信塔２６３を使った無線送信を介して、達成することができる。
【００２２】
伝送装置２６１からのグラフィックス・オブジェクトは、ＧＰＲＳ（Ｇｅｎｅｒａｌ  Ｐａｃｋｅｔ  Ｒａｄｉｏ  Ｓｅｒｖｉｃｅ（汎用パケット無線サービス））などのデータ・トランスポート・プロトコルを介して、インターネット・サービス・プロバイダ２６４に搬送することができ、それにより、パーソナル無線アクセサリ２６２は、介在するセルラー通信インフラを用いて、汎用データを、無線で公衆インターネット２７７に送り、また公衆インターネット２７７から受け取ることができる。代替実施形態では、セルラー通信塔２６３を、企業内に置かれている無線アクセスポイントに代えることができる。次に、いずれの実施形態においても、グラフィックス・オブジェクトをパブリック・サーバ２７５に搬送して、リモートの聞き手メンバ１８０に提供する（公衆インターネット２７７と、企業ネットワーク１７０との間にあるファイア・ウォール１７１を通じて）。図２に示されるように、リモートの聞き手メンバ１８０のうちのただ一人だけが、公衆インターネット２７７にインターフェースされているものとして図示されている（図２Ａに示される）が、さらに多くのリモートの聞き手メンバ１８０を公衆インターネット２７７にインターフェースすることができる。
【００２３】
図３は、本発明の一実施形態により、ローカルの聞き手とリモートの聞き手にプレゼンテーションを示す第１の方法の流れ図である。図１、図２、図２Ａのシステムは、図３の方法を実行するのに適している。図３は、ステップ３１０において開始して、表示装置を用いて、ローカルの聞き手に情報フレームを提示する。望ましくは、この情報フレームは、ローカルの聞き手が見ることのできる単一表示面上に投影される。別法として、この情報フレームは、ローカルの聞き手が見ることのできる表示面を持つコンピュータまたは他のモニタ上に投影される。この方法は、ステップ３２０に進み、この情報フレームの画像が、フレーム取込み装置により取り込まれる。ステップ３２０は、この情報フレームをランダムアクセスメモリに格納しているメモリアレイを、フレーム取込み装置が読み出すことを含むことができる。
【００２４】
ステップ３３０において、この取込み画像を、グラフィックス・オブジェクトに変換する。好ましくは、ステップ３３０の変換は、ステップ３２０において取り込まれた生データを、企業ネットワークなどの無線または有線通信ネットワーク上で、あるいは、公衆インターネット上で運ぶことのできるビットマップ・ファイル、ＪＰＥＧファイル、またはＧＩＦファイルなどの標準化フォーマットに変換することを含む。次に、このグラフィックス・オブジェクトは、インターネット・ブラウザ、ワープロ・プログラム、または他のコンピュータプログラムを介して見ることができる。別法として、グラフィックス・オブジェクトは、ファイル転送プロトコルを用いてグラフィックス・オブジェクトを見られるようにするやり方で、フォーマットすることもできる。
【００２５】
ステップ３４０において、インターネットまたは他のプロトコルを用いて、リモートの聞き手のメンバと通信するサーバを介して、グラフィックス・オブジェクトをリモートの聞き手に送る。ステップ３４０は、企業の外にある公衆ネットワーク上に置かれたサーバにグラフィックス・オブジェクトを送ることを含むことができる。この公衆ネットワーク上に置かれたサーバにグラフィックス・オブジェクトを送ることはまた、介在するセルラー通信インフラを用いてグラフィックス・オブジェクトをサーバに送る携帯電話などの無線通信装置によって達成することができる。さらに、ステップ３４０の送ることは、リモートの聞き手メンバが、前のグラフィックス・オブジェクトを表示するブラウザ・ウィンドウを「リフレッシュ」することを選択し、それにより現在のグラフィックス・オブジェクトを要求した結果であることができる。
【００２６】
図４は、本発明の他の実施形態により、ローカルの聞き手とリモートの聞き手にプレゼンテーションを示す第２の方法の流れ図である。図１、図２、図２Ａのシステムは、図４の方法を実行するのに適しており、かつ、この方法の取込み画像は、図１、図２、図２Ａ、図３のグラフィックス・オブジェクトに対応する。しかしながら、図４の方法は、ローカルの聞き手とリモートの聞き手の双方にプレゼンテーションを示すことができても、これらの聞き手にグラフィックス・オブジェクトを見せない他の機器によって実施してもよい。このような他の機器は、例えば、ファイル転送プロトコルを用いて、これらの取込み画像を送る。
【００２７】
図４は、ステップ４１０から始まり、情報フレームの画像が、フレーム取込み装置により取り込まれる。好ましくは、この情報フレームの取込み画像は、ローカルの聞き手のメンバが見ることのできる表示面上に示される情報フレームとほぼ同一である。ステップ４２０において、この取込み画像を見る要求を、リモートの聞き手のメンバから受け取る。ステップ４２０の要求は、本明細書に述べられる本発明の実施形態に合ったやり方で、これらの取込み画像を供給するサーバに、リモートの聞き手メンバがログインすることを表わすことができる。ステップ４２０の要求はまた、リモートの聞き手メンバが、前のグラフィックス・オブジェクトを表示するブラウザ・ウィンドウを「リフレッシュ」することを選択し、それにより、現在のグラフィックス・オブジェクトを要求することによって、取込み画像の要請を行うことも含むことができる。ステップ４３０において、この取込み画像を、リモートの聞き手のメンバに供給する。ステップ４３０は、サーバが、企業ネットワークを用いて、あるいは、公衆インターネットを介して、リモートの聞き手のメンバに送ることで、達成することができる。
【００２８】
最後に、本発明は、特に、上述の好ましい実施形態や代替実施形態を参照して図示され、説明されてきたが、当業者であれば、併記の特許請求の範囲に定義される本発明の精神および範囲から逸脱することなく、それらの実施形態に多くの変更を行えることが理解されよう。本発明のこの説明は、本明細書に述べられた要素の新規で、かつ自明でない組合せを含むものと理解されるべきである。特許請求の範囲は、本願、または後の出願において、これらの要素の新規で、かつ自明でない任意の組合せに提示されるかもしれない。上述の実施形態は、例示であって、本願、または後の出願において請求されるかもしれない可能なあらゆる組合せにとって、ただ１つの特徴も要素も本質的なものとはならない。特許請求の範囲が、「１つ」または「第１の」要素、もしくは、それと同等なものを述べる場合には、このような特許請求の範囲は、１つまたは複数の上記要素を組み入れることを含み、２つ以上の上記要素を要求することも、また、排除することもないものと理解されるべきである。
【図面の簡単な説明】
【００２９】
【図１】本発明の第１の実施形態により、ローカルの聞き手とリモートの聞き手にプレゼンテーションを示すシステムのブロック図である。
【図２】本発明の第２の実施形態により、リモートの聞き手にプレゼンテーションを示す第２のシステムのブロック図である。
【図２Ａ】図２の実施形態の一部の代替実施のブロック図である。
【図３】本発明の一実施形態により、ローカルの聞き手とリモートの聞き手にプレゼンテーションを示す第１の方法の流れ図である。
【図４】本発明の他の実施形態により、ローカルの聞き手とリモートの聞き手にプレゼンテーションを示す第２の方法の流れ図である。
【符号の説明】
【００３０】
１３０：表示装置
１４０：フレーム取込み装置
１５０：データ変換器
１６０：伝送装置
１８０：リモートの聞き手メンバ
２７７：公衆インターネット
【図１】
2006507559.tif 000003
【図２】
2006507559.tif 000004
【図２Ａ】
2006507559.tif 000005
【図３】
2006507559.tif 000006
【図４】
2006507559.tif 000007
【国際調査報告】
2006507559.tif 000008
2006507559.tif 000009